(57)【要約】【課題】液晶モニタが収容位置にある等で液晶モニタの表示がオフの状態で撮影動作を行うと、当該撮影動作により生成された撮影画像をユーザが視認することができないという課題がある。【解決手段】撮像装置であって、被写界像を撮像して画像を生成する撮影部と、撮影部で生成された画像を表示する表示部と、撮影部で生成された画像のうち、撮影動作中に表示部に表示されなかった未表示画像を選択して、撮影動作後の予め定められたタイミングで表示部に表示させる表示制御部とを備える。【選択図】図１
2015035639.tif 000002
【特許請求の範囲】
【請求項１】
被写界像を撮影して画像を生成する撮影部と、
前記撮影部で生成された画像を表示する表示部と、
前記撮影部で生成された画像のうち、撮影動作中に前記表示部に表示されなかった未表示画像を選択して、撮影動作後の予め定められたタイミングで前記表示部に表示させる表示制御部と
を備える撮像装置。
【請求項２】
前記予め定められたタイミングは、前記表示部への表示が可能となったことを含む請求項１に記載の撮像装置。
【請求項３】
前記表示部は、ユーザに視認できる表示位置と、ユーザに視認できない非表示位置とを回動自在であり、
前記表示制御部は、前記撮影動作中に前記表示部が前記非表示位置にある場合に、前記撮影動作中に生成された画像を前記未表示画像として特定する情報を記録する請求項１または２に記載の撮像装置。
【請求項４】
前記予め定められたタイミングは、前記表示部が前記非表示位置から前記表示位置に回動されたことを含む請求項３に記載の撮像装置。
【請求項５】
前記表示制御部は、前記撮影部による撮影後の確認が無効に設定されている場合に、前記撮影動作中に生成された画像を前記未表示画像として特定する情報を記録する請求項１または２に記載の撮像装置。
【請求項６】
前記予め定められたタイミングは、前記撮影部による撮影後の確認が無効から有効に変更されたことを含む請求項５に記載の撮像装置。
【請求項７】
前記表示制御部は、前記撮影部の連写中に他の動作の割り込みがあった場合に、前記連写中に生成され、かつ、前記割り込み以前に表示されなかった画像を前記未表示画像として特定する情報を記録する請求項１または２に記載の撮像装置。
【請求項８】
前記予め定められたタイミングは、前記他の動作の割り込みが終了したことを含む請求項７に記載の撮像装置。
【請求項９】
前記予め定められたタイミングは、画像の再生指示をユーザから受け付けたことを含む請求項１から８のいずれか１項に記載の撮像装置。
【請求項１０】
前記表示制御部は、前記タイミングにおいて、すでに表示された既表示画像と前記未表示画像とを区別して、両方を前記表示部に表示する請求項１から９のいずれか１項に記載の撮像装置。
【発明の詳細な説明】
【技術分野】
【０００１】
本発明は、撮像装置に関する。
【背景技術】
【０００２】
デジタルカメラの本体部に対して回動自在に配された液晶モニタを有するものがある。当該デジタルカメラにおいて、液晶モニタの回動位置に応じて、液晶モニタの表示がオンオフされる（例えば、特許文献１参照）。
特許文献１  特開２００２−１１８７７３号公報
【発明の概要】
【発明が解決しようとする課題】
【０００３】
しかしながら、上記デジタルカメラにあっては、液晶モニタが収容位置にある等で液晶モニタの表示がオフの状態で撮影動作を行うと、当該撮影動作により生成された撮影画像をユーザが視認することができないという課題がある。
【課題を解決するための手段】
【０００４】
本発明の第１の態様においては、撮像装置であって、被写界像を撮影して画像を生成する撮影部と、前記撮影部で生成された画像を表示する表示部と、前記撮影部で生成された画像のうち、撮影動作中に前記表示部に表示されなかった未表示画像を選択して、撮影動作後の予め定められたタイミングで前記表示部に表示させる表示制御部とを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】一の実施例にかかるデジタルカメラ１０の背面斜視図を示す。
【図２】一の実施例にかかるデジタルカメラ１０の背面斜視図を示す。
【図３】一の実施例にかかるデジタルカメラ１０の背面斜視図を示す。
【図４】デジタルカメラ１０の機能を示す機能ブロック図である。
【図５】デジタルカメラ１０の動作の一例を示すフローチャートである。
【図６】図５の撮影モードの処理（Ｓ１３）の詳細を示すフローチャートである。
【図７】デジタルカメラ１０の動作の他の例を示すフローチャートである。
【図８】デジタルカメラ１０の動作の他の例を示すフローチャートである。
【図９】図８のサムネイル表示の動作（Ｓ５８）の詳細を示すフローチャートである。
【図１０】デジタルカメラ１０の動作のさらに他の例を示すタイミングチャートである。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１から図３は、一の実施例にかかるデジタルカメラ１０の背面斜視図を示す。デジタルカメラ１０は、本体部１４と、本体部１４に対して着脱自在なレンズ部１２とを有する。本体部１４には、レンズ部１２を通った被写体像をユーザが光学的に視認する光学ファインダおよび、本体部１４に対して回動自在なモニタ１６が設けられる。デジタルカメラ１０は、撮影動作中に表示されなかった未表示画像を、撮影動作後の予め定められたタイミングでモニタ１６に表示する。
【０００９】
モニタ１６の一例は液晶表示装置である。モニタ１６は、図１に示すように本体部１４に表示面１８が対向した状態で収容される非表示位置と、図２に示すように本体部１４の底面近傍で回動されて表示面１８が露出した表示位置との間を回動自在である。表示面１８が本体部１４に対向する向きでの回動の角度αは、本体部１４に収容されているときを０度として例えば１８０度までの値を取りえる。さらに、モニタ１６は当該回動方向に直交した方向にも回動可能であって、表示面１８が露出した状態で、本体部１４に収容できる。図３に示すように、表示面１８が本体部１４に対して露出して収容できる向きでの回動の角度βも、本体部１４に収容されているときを０度として例えば１８０度までの値を取りえる。
【００１０】
図４は、デジタルカメラ１０の機能を示す機能ブロック図である。デジタルカメラ１０のレンズ部１２は、撮影光学系としての撮影レンズ１０４および絞り１０２を備え、光軸１０６に沿って入射する被写体光束を撮像素子１００へ導く。デジタルカメラ１０は、さらに、撮像素子１００、制御部２０１、Ａ／Ｄ変換回路２０２、メモリ２０３、駆動部２０４、操作部２０５、画像処理部２０６、角度検知部２０７、ＬＣＤ駆動回路２１０、ＡＦセンサ２１１、測光センサ２１２、メモリカードＩＦ２１４およびメモリカード２１６を備える。
【００１１】
撮影レンズ１０４は、複数の光学レンズ群から構成され、被写体光束をその焦点面近傍に結像させる。なお、図４では撮影レンズ１０４を説明の都合上、瞳近傍に配置された仮想的な１枚のレンズで代表して表している。撮像素子１００は、撮影レンズ１０４の焦点面近傍に配置されている。撮像素子１００は、二次元的に複数の光電変換素子が配列された、例えばＣＣＤ、ＣＭＯＳセンサ等のイメージセンサである。撮像素子１００は、駆動部２０４によりタイミング制御されて、受光面上に結像された被写体像を画像信号に変換してＡ／Ｄ変換回路２０２へ出力する。
【００１２】
Ａ／Ｄ変換回路２０２は、撮像素子１００が出力する画像信号をデジタル信号に変換してＲＡＷ画像データとしてメモリ２０３へ出力する。画像処理部２０６は、メモリ２０３をワークスペースとして種々の画像処理を施し、画像データ例えばＪＰＥＧ画像データを生成する。
【００１３】
画像処理部２０６により生成された画像データは、ＬＣＤ駆動回路２１０により表示信号に変換され、モニタ１６に撮影画像として表示される。また、上記画像データは撮影時の撮影設定情報等をヘッダとした撮影画像ファイルとして、メモリカードＩＦ２１４を介してメモリカード２１６に記録される。
【００１４】
ＡＦセンサ２１１は、被写体空間に対して複数の測距点が設定された位相差センサであり、それぞれの測距点において被写体像のデフォーカス量を検出する。測光センサ２１２は、撮影レンズ１０４を通った被写体像の全体または予め定められた領域の輝度を測定する。
【００１５】
操作部２０５は、レリーズ、再生ボタンおよび十字キー等の入力を受け付ける。操作部２０５は、レリーズが押下された場合にユーザから撮影指示があったと判断する。また、操作部２０５は、再生ボタンが押し下げされた場合にユーザからの画像の再生モードへの切り替え指示があったと判断する。さらに、十字キーはモニタ１６に表示された各種機能のメニューを選択するのに用いられ、例えば、撮影直後の撮影画像の確認機能のオンオフの設定に用いられる。なお、操作部２０５からの入力によらず、例えば本体部１４にレンズ部１２が取り付けられていない場合等により制御部２０１が強制的に再生モードを設定してもよい。
【００１６】
角度検知部２０７は、モニタ１６の表示面１８の向きおよび当該モニタ１６の回動角を検出する。角度検知部２０７の一例は、回転軸に設けられたマイクロスイッチである。角度検知部２０７の他の例として、モニタ１６側と本体部１４側のいずれか一方に磁石を配して他方に磁力センサを配してもよい。さらに角度検知部２０７は、モニタ１６が本体部１４に収容された状態でロックする爪の動きを検出してもよい。
【００１７】
一連の撮影シーケンスは、操作部２０５がユーザの操作を受け付けて、制御部２０１へ操作信号を出力することにより開始される。撮影シーケンスに付随するオートフォーカス、自動露出等の各種動作は、制御部２０１に制御されて実行される。例えば、制御部２０１は、ＡＦセンサ２１１の検出信号を解析して、撮影レンズ１０４の一部を構成するフォーカスレンズを移動させる合焦制御を実行する。
【００１８】
さらに制御部２０１は、当該撮影動作によって画像処理部２０６により生成された撮影画像をモニタ１６に表示する。制御部２０１は、画像処理部２０６により生成された撮影画像のうち、当該撮影動作中にモニタ１６に表示されなかった撮影画像を未表示画像として特定し、撮影動作後の予め定められたタイミングで表示する。予め定められたタイミングの例は、モニタ１６への表示が可能となったときである。一の撮影動作は、例えば、レリーズの半押しまたは全押しにより開始され、当該レリーズの全押しによる撮影画像が生成されて表示されるか、または、全押しに引き続いてユーザにより他の操作がなされることにより終了する。
【００１９】
図５は、デジタルカメラ１０の動作の一例を示すフローチャートである。当該フローチャートは、ステップＳ１１で電源がオンされたことにより開始する。なお、図５の動作において、モニタ１６の表示面１８はユーザ側に露出した状態であるとし、撮影後の撮影画像確認の機能はオフにされているとする。
【００２０】
制御部２０１は、再生モードが設定されているか否かを判断する（Ｓ１２）。ここで再生モードが設定されているか否かは、例えば、操作部２０５が再生ボタンの押下を検知したか否かで判断する。
【００２１】
再生モードが設定されていない場合に（Ｓ１２：Ｎｏ）、制御部２０１は撮影モードの処理を実行する（Ｓ１３）。ステップＳ１３の撮影モードでは撮影画像が生成される（同ステップ）。
【００２２】
制御部２０１は、現撮影動作中に再生モードが設定されていないので、ステップＳ１３で生成された撮影画像をモニタ１６に表示せず、未表示画像として、例えばそのファイル名をメモリ２０３に書き込む。さらに、画像処理部２０６は、当該未表示画像のサムネイル表示用の画像を生成して、メモリ２０３に格納する（Ｓ１４）。再生モードの設定が検出されるまで、ステップＳ１３およびＳ１４の動作を繰り返す（Ｓ１５：Ｎｏ）。
【００２３】
ステップＳ１５において再生モードの設定が検出された場合に（Ｓ１５：Ｙｅｓ）、制御部２０１はメモリ２０３を参照して未表示画像の有無を判断する（Ｓ１６）。未表示画像がある場合に（Ｓ１６：Ｙｅｓ）、制御部２０１は当該未表示画像のサムネイル表示用の画像をメモリ２０３から読み出して、モニタ１６に表示する（Ｓ１７）。未表示画像が複数個ある場合に、制御部２０１は、当該複数の未表示画像のサムネイル表示用の画像をモニタ１６の一画面上に並べて表示する。さらに未表示画像の数が予め定められた数より多い場合に、制御部２０１は当該複数の未表示画像のサムネイル表示用の画像を、複数のページに分けてモニタ１６に表示してもよい。
【００２４】
レリーズの半押しがあるか、全ての未表示画像のサムネイル表示用の画像を表示して予め定められた時間が経過した場合に（Ｓ１８：Ｙｅｓ）、制御部２０１は当該サムネイル表示を終了する（Ｓ１９）。さらに、制御部２０１は、ステップＳ１７で表示された未表示画像について、サムネイル表示用の画像およびファイル名等の情報をメモリ２０３から削除する（Ｓ２０）。
【００２５】
上記ステップＳ１２の判断がＹｅｓである場合、または、ステップＳ１６の判断がＮｏである場合に、通常の再生モードとして、制御部２０１は、最後に撮影された撮影画像をモニタ１６に表示する（Ｓ２１）。操作部２０５が撮影画像の先送り、後戻り、指定等を受け付けた場合に、制御部２０１は、対応する撮影画像をモニタ１６に表示する。以上の動作は電源がオフになるまで繰り返され（Ｓ２２：Ｎｏ）、電源がオフになった場合に（Ｓ２２：Ｙｅｓ）、当該フローチャートによる動作を終了する。なお、上記ステップＳ１７において、未表示画像のサムネイル表示用の画像のいずれかがモニタ１６上で選択された場合に、制御部２０１は、再生モードに移行して、選択されたサムネイルに対応する撮影画像を通常通り再生してもよい。
【００２６】
図６は、図５の撮影モードの処理（Ｓ１３）の詳細を示すフローチャートである。撮影モードの処理（Ｓ１３）において、制御部２０１は、絞り値、シャッタースピードおよび撮像枚数等の撮影情報をモニタ１６に表示する（Ｓ１１１）。
【００２７】
測光センサ２１２が測光を行い（Ｓ１１２）、当該測光に基づいて制御部２０１が露出の演算を行う（Ｓ１１３）。上記ステップＳ１１１からＳ１１３の動作は、レリーズが半押しされたときに実行してもよい。
【００２８】
レリーズが全押しされた場合に（Ｓ１１４：Ｙｅｓ）、制御部２０１は撮像素子１００を用いて被写界像を撮像する（Ｓ１１５）。さらに画像処理部２０６が撮像素子１００の撮像データから撮影画像を生成し、制御部２０１が撮影画像ファイルとしてメモリカード２１６に記録する（Ｓ１１６）。以上により当フローチャートを終了する。
【００２９】
以上、本実施形態によれば、撮影動作中に表示されずにユーザが確認しなかった撮影画像を、撮影動作後に自動的に確認することができる。よって、撮影画像の確認し忘れによる不適切な画像の保存やシャッターチャンスを逃すおそれをなくすことができる。
【００３０】
なお図５のステップＳ１２、Ｓ１５の少なくとも一方に代えてまたはこれに加えて、撮影後の撮影画像確認の機能がオンされているか否かを判断してもよい。撮影後の撮影画像確認の機能がオンの場合には、制御部２０１は、撮影画像を生成したら、続いて当該撮影画像をモニタ１６に表示し、未表示画像としなくてよい。また、図５のステップＳ１４からＳ２０の動作は、光学ファインダ１５を用いて撮像された場合に実行して、モニタ１６を用いたいわゆるスルー画撮影の場合には省略してもよい。
【００３１】
図７は、デジタルカメラ１０の動作の他の例を示すフローチャートである。当該フローチャートは、ステップＳ３１で電源がオンされたことにより開始する。なお、図７の動作において、モニタ１６の表示面１８は本体部１４側を向いた状態であるとし、撮影後の撮影画像確認の機能はオンにされているとする。
【００３２】
制御部２０１は、角度検知部２０７を用いてモニタ１６の回動角αが０度であるか否かを判断する（Ｓ３２）。ここで回動角αが０度であることは、モニタ１６が本体部１４に収容されており、表示面１８がユーザからは視認できない状態に対応する。
【００３３】
モニタ１６の回動角αが０度である場合に（Ｓ３２：Ｎｏ）、制御部２０１は、モニタ１６の表示をオフにするとともに（Ｓ３４）、撮影モードの処理を実行する（Ｓ３５）。ステップＳ３５の撮影モードの処理は、図６の動作と同様である。ただし、モニタ１６はユーザから視認できないので、ステップＳ１１１の動作を省略することが好ましい。
【００３４】
制御部２０１は、ステップＳ３５で生成された撮影画像をモニタ１６に表示せずに、未表示画像として、例えばそのファイル名をメモリ２０３に書き込む（Ｓ３６）。さらに、画像処理部２０６は、当該未表示画像のサムネイル表示用の画像を生成して、メモリ２０３に格納する（同ステップ）。モニタ１６の回動角βが０度になるまで、すなわちユーザによりモニタ１６の表示面１８が露出した状態で当該モニタ１６が本体部１４に収容されるまで、ステップＳ３５およびＳ３６の動作を繰り返す（Ｓ３７：Ｎｏ）。
【００３５】
ステップＳ３７においてモニタ１６の回動角βが０度である旨が検出された場合に（Ｓ３７：Ｙｅｓ）、制御部２０１は、モニタ１６での表示が可能になったと判断して、メモリ２０３を参照して未表示画像の有無を判断する（Ｓ３８）。未表示画像がある場合に（Ｓ３８：Ｙｅｓ）、制御部２０１は当該未表示画像のサムネイル表示用の画像をメモリ２０３から読み出して、モニタ１６に表示する（Ｓ３９）。未表示画像が複数個ある場合に、制御部２０１は、当該複数の未表示画像のサムネイル用の画像をモニタ１６の一画面上に並べて表示する。さらに未表示画像の数が予め定められた数より多い場合に、制御部２０１は当該複数の未表示画像のサムネイル用の画像を、複数のページに分けてモニタ１６に表示してもよい。
【００３６】
レリーズの半押しがあるか、全ての未表示画像のサムネイル表示用の画像を表示して予め定められた時間が経過した場合に（Ｓ４０：Ｙｅｓ）、制御部２０１は当該サムネイル表示を終了する（Ｓ４１）。さらに、制御部２０１は、ステップＳ３９で表示された未表示画像について、サムネイル表示用の画像およびファイル名等の情報をメモリ２０３から削除する（Ｓ４２）。
【００３７】
ステップＳ１６の判断がＮｏである場合に、通常の再生モードとして、制御部２０１は、最後に撮影された撮影画像をモニタ１６に表示する（Ｓ４３）。操作部２０５が撮影画像の先送り、後戻り、指定等を受け付けた場合に、制御部２０１は、対応する撮影画像をモニタ１６に表示する。
【００３８】
上記ステップＳ３２の判断がＹｅｓである場合に、制御部２０１は撮影モードの処理を実行し（Ｓ３３）、ステップＳ４３に進む。ステップＳ３３の撮影モードの処理は、図６の動作と同様である。以上の動作は電源がオフになるまで繰り返され（Ｓ２２：Ｎｏ）、電源がオフになった場合に（Ｓ２２：Ｙｅｓ）、当該フローチャートによる動作を終了する。
【００３９】
以上、本実施形態によれば、撮影動作中にモニタ１６が閉じていて確認しなかった撮影画像を、モニタ１６での確認が可能となったタイミングで、自動的に確認することができる。よって、撮影画像の確認し忘れによる不適切な画像の保存やシャッターチャンスを逃すおそれをなくすことができる。特に急な電源オンでモニタ１６が視認できない状態で撮像された場合であっても、煩雑な操作をすることなく、撮影動作後に撮影画像をモニタ１６にて容易に確認することができる。
【００４０】
図８は、デジタルカメラ１０の動作の他の例を示すフローチャートである。当該フローチャートは、電源がオンされたことにより開始する。なお、図８の動作において、モニタ１６の表示面１８は本体部１４と反対側を向いた状態であるとし、撮影後の撮影画像確認の機能はオンにされているとする。
【００４１】
制御部２０１は、角度検知部２０７を用いてモニタ１６の回動角βが０度以上１０度未満であるか否かを判断する（Ｓ５１）。ここで回動角βが０度であることは、モニタ１６が本体部１４に収容されており、表示面１８がユーザから視認できる状態に対応する。
【００４２】
モニタ１６の回動角βが１０度以上である場合に（Ｓ５１：Ｎｏ）、制御部２０１は、撮影モードの処理を実行する（Ｓ５５）。ステップＳ５５の撮影モードの処理は、図６の動作と同様である。
【００４３】
制御部２０１は、ステップＳ５５で生成された撮影画像をモニタ１６に表示せずに、未表示画像として、例えばそのファイル名をメモリ２０３に書き込む（Ｓ５６）。さらに、画像処理部２０６は、当該未表示画像のサムネイル表示用の画像を生成して、メモリ２０３に格納する（同ステップ）。モニタ１６の回動角βが０度以上１０度未満になるまで、すなわちユーザによりモニタ１６が立ち上げられるまで、ステップＳ５５およびＳ５６の動作を繰り返す（Ｓ５７：Ｎｏ）。
【００４４】
ステップＳ５７においてモニタ１６の回動角βが０度以上１０度未満である旨が検出された場合に（Ｓ５７：Ｙｅｓ）、サムネイル表示の動作が実行される（Ｓ５８）。続いて、通常の再生モードとして、制御部２０１は、最後に撮影された撮影画像をモニタ１６に表示する（Ｓ５３）。操作部２０５が撮影画像の先送り、後戻り、指定等を受け付けた場合に、制御部２０１は、対応する撮影画像をモニタ１６に表示する。
【００４５】
上記ステップＳ５１の判断がＹｅｓである場合に、制御部２０１は撮影モードの処理を実行し（Ｓ５２）、ステップＳ５３に進む。ステップＳ５２の撮影モードの処理は、図６の動作と同様である。以上の動作は他の操作の入力を検知するまで繰り返され（Ｓ５４：Ｎｏ）、他の操作が行われた場合に（Ｓ５４：Ｙｅｓ）、当該フローチャートによる動作を終了する。
【００４６】
図９は、図８のサムネイル表示の動作（Ｓ５８）の詳細を示すフローチャートである。制御部２０１は、メモリ２０３を参照して未表示画像の有無を判断する（Ｓ５１１）。未表示画像がある場合に（Ｓ５１１：Ｙｅｓ）、制御部２０１は当該未表示画像のサムネイル表示用の画像をメモリ２０３から読み出して、モニタ１６に表示する（Ｓ５１１）。未表示画像が複数個ある場合に、制御部２０１は、当該複数の未表示画像のサムネイル用の画像をモニタ１６の一画面上に並べて表示する。さらに未表示画像の数が予め定められた数より多い場合に、制御部２０１は当該複数の未表示画像のサムネイル用の画像を、複数のページに分けてモニタ１６に表示してもよい。
【００４７】
レリーズの半押し等の他の操作があるか、全ての未表示画像のサムネイル表示用の画像を表示して予め定められた時間が経過した場合に（Ｓ５１３：Ｙｅｓ）、制御部２０１は当該サムネイル表示を終了する（Ｓ５１４）。さらに、制御部２０１は、ステップＳ５１２で表示された未表示画像について、サムネイル表示用の画像およびファイル名等の情報をメモリ２０３から削除する（Ｓ５１５）。ステップＳ５１５の後に、または、ステップＳ５１１での判断がＮｏである場合に、当該フローチャートによる動作を終了する。
【００４８】
以上、本実施形態によれば、モニタ１６を大きく傾けたいわゆるハイアングル撮影をして、そのままのモニタ１６の姿勢では撮影画像を視認しにくい場合に、モニタ１６での視認が容易となったタイミングで、自動的に視認することができる。よって、撮影画像の確認し忘れによる不適切な画像の保存やシャッターチャンスを逃すおそれをなくすことができる。
【００４９】
上記図５から図９の実施形態において、未表示画像が複数個ある場合に、一画面上にそれらを並べて表示しているが、表示の形態はこれに限られない。他の例として、制御部２０３は撮影時間順で一定時間ごと、例えば１秒ごとに順次サムネイル表示用の画像をモニタ１６に表示してもよい。この場合に制御部２０１は、サムネイル表示用の画像に代えて、撮影画像自体を表示してもよい。撮影画像自体を表示する場合には、サムネイル表示用の画像を生成するステップを省略してもよい。
【００５０】
図１０は、デジタルカメラ１０の動作のさらに他の例を示すタイミングチャートである。デジタルカメラ１０において、レリーズ押下中に複数回の撮影を実行する連写動作がある。連写動作で撮影後の撮影画像の確認機能がオンになっている場合、制御部２０１は当該連写によって生成された撮影画像を順次、モニタ１６に表示する。
【００５１】
ここで、１枚分の撮影から画像生成にかかる時間よりも表示の時間のほうが長い場合には、連写動作自体は先に終了しているが撮影画像のモニタ１６上の表示が続いている状態となる。その状態でさらに連写のレリーズが押下された場合を考える。例えば、図１０に示す例において、連写動作１で撮影画像１−１から撮影画像１−５の５枚の撮影画像が生成され、表示動作１にて撮影画像１−２までがモニタ１６に表示された状態で、連写動作２のレリーズ押下による割り込みがあったとする。
【００５２】
この場合に、制御部２０１は連写動作２を優先して、表示動作１を中断する。すなわち制御部２０１は、撮影画像２−１から撮影画像２−５を生成するとともに、連写動作１で生成された撮影画像のうち表示動作１で表示されなかった撮影画像１−３から撮影画像１−５を未表示画像として、そのファイル名をメモリ２０３に書き込む。その後、制御部２０１は直近の動作である連写動作２で生成された撮影画像２−１から撮影画像２−５を表示動作２で順次、モニタ１６に表示する。
【００５３】
さらに、制御部２０１は、メモリ２０３を参照して上記未表示画像を表示動作３において、撮影順に順次モニタ１６に表示する。これに代えて、上記未表示画像のサムネイル表示用の画像をモニタ１６に表示してもよい。以上、本実施形態によれば、連写中に次の連写が割り込む等によりモニタ１６で確認しなかった撮影画像を、モニタ１６での確認が可能となったタイミングで、自動的に確認することができる。よって、撮影画像の確認し忘れによる不適切な画像の保存やシャッターチャンスを逃すおそれをなくすことができる。
【００５４】
なお、図５から図１０の実施形態において、撮影動作後に未表示画像が表示されるが、これに加えて、再生済みの画像も表示してもよい。この場合に、未表示画像と再生済の画像とを区別して表示することが好ましい。例えば、未表示画像のサムネイルが並んだページと、再生済みの画像のサムネイルが並んだページとを別ページにしてもよい。他の例として、再生済みの画像のサムネイルと未表示画像のサムネイルとの間に、区切りを示すアイコン等を表示してもよい。また、複数の撮影動作について未表示画像のサムネイル用表示の画像を並べて表示する場合には、撮影動作ごとに未表示画像を区別して表示してもよい。例えば、撮影動作の区切りを示すアイコン等を表示してもよい。
【００５５】
また、図５から図１０の実施形態において、静止画の撮影を例として説明したが、動画の撮影に適用してもよい。この場合に、未表示の動画について、所定のタイミングで一定時間おきの静止画を表示してもよいし、各チャプターの先頭画像を表示してもよい。また、動画撮影中に静止画を撮影した場合に、当該静止画を未表示画像として、本実施形態を適用してもよい。また、インターバル撮影や三脚を用いた長時間露光撮影等、撮影動作中にモニタ１６が消灯される撮影動作に本実施形態を適用してもよい。
【００５６】
図１から図３の実施形態において、デジタルカメラ１０はレンズ部１２を交換することができるが、デジタルカメラ１０の例はこれに限られず、レンズ部１２が本体部１４と一体型であるいわゆるコンパクトデジタルカメラであってもよい。また、同実施形態において、モニタ１６を液晶表示装置としたが、他の表示装置、例えば有機ＥＬ等であってもよい。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５９】
１０  デジタルカメラ、１２  レンズ部、１４  本体部、１６  モニタ、１８  表示面、１００  撮像素子、１０２  絞り、１０４  撮影レンズ、２０１  制御部、２０２  Ａ／Ｄ変換回路、２０３  メモリ、２０４  駆動部、２０５操作部、２０６  画像処理部、２０７  角度検知部、２１０  ＬＣＤ駆動回路、２１１  ＡＦセンサ、２１２  測光センサ、２１４  メモリカードＩＦ、２１６  メモリカード
【図１】
2015035639.tif 000003
【図２】
2015035639.tif 000004
【図３】
2015035639.tif 000005
【図４】
2015035639.tif 000006
【図５】
2015035639.tif 000007
【図６】
2015035639.tif 000008
【図７】
2015035639.tif 000009
【図８】
2015035639.tif 000010
【図９】
2015035639.tif 000011
【図１０】
2015035639.tif 000012